(57)【特許請求の範囲】
【請求項１】
誘電体基板と、
前記誘電体基板の一方の面に形成されたホームベース形状のアンテナエレメントパターンと、
前記誘電体基板の他方の面に形成された接地パターンと、
前記誘電体基板の一方の面に形成され、前記アンテナエレメントパターンに接続された給電線と、
前記給電線に挿入され、導電パターンにより形成された分布定数回路から構成されるスタブ付リングフィルタとを有することを特徴とするアンテナ装置。
【請求項２】
前記スタブ付リングフィルタは、バンドエルミネート特性を有し、リング部とオープンスタブ部とを含み、前記リング部は、第１経路、第２経路、及び第３経路を含み、前記オープンスタブ部は、前記第２経路及び前記第３経路の接続部の平面視外側に配設されており、前記第２経路及び前記第３経路の全長は、互いに等しく、かつ、前記第１経路部の全長の半分である、請求項１に記載のアンテナ装置。
【請求項３】
前記給電線は、ストリップライン又は、マイクロストリップラインから構成されていることを特徴とする請求項１記載のアンテナ装置。
【請求項４】
前記誘電体基板は、可撓性を有する材料から構成されていることを特徴とする請求項１記載のアンテナ装置。
【請求項５】
狭帯域アンテナ装置、又は、広帯域アンテナ装置を構成することを特徴とする請求項１記載のアンテナ装置。
【請求項６】
誘電体基板と、
前記誘電体基板の一方の面に形成されたホームベース形状のアンテナエレメントパターンと、
前記誘電体基板の他方の面に形成された接地パターンと、
前記誘電体基板の一方の面に形成され、前記アンテナエレメントパターンに接続された給電線と、
前記給電線に挿入され、前記給電線上の信号レベルを調整する信号レベル調整手段と、
前記給電線に前記信号レベル調整手段と直列に挿入され、導電パターンにより形成された分布定数回路から構成されるスタブ付リングフィルタとを有することを特徴とするアンテナ装置。
【請求項７】
前記スタブ付リングフィルタは、バンドエルミネート特性を有し、リング部とオープンスタブ部とを含み、前記リング部は、第１経路、第２経路、及び第３経路を含み、前記オープンスタブ部は、前記第２経路及び前記第３経路の接続部の平面視外側に配設されており、前記第２経路及び前記第３経路の全長は、互いに等しく、かつ、前記第１経路部の全長の半分である、請求項６に記載のアンテナ装置。
【請求項８】
前記信号レベル調整手段は、アッテネータ又は増幅回路であることを特徴とする請求項６記載のアンテナ装置。
【請求項９】
前記給電線は、ストリップライン又は、マイクロストリップラインから構成されていることを特徴とする請求項６記載のアンテナ装置。
【請求項１０】
前記誘電体基板は、可撓性を有する材料から構成されていることを特徴とする請求項６記載のアンテナ装置。
【請求項１１】
狭帯域アンテナ装置、又は、広帯域アンテナ装置を構成することを特徴とする請求項６記載のアンテナ装置。
【請求項１２】
誘電体基板と、
前記誘電体基板の一方の面に形成された一対のエレメントを含む平衡給電型アンテナエレメントパターンと、
前記誘電体基板の一方の面に形成され、前記平衡給電型アンテナエレメントパターンの前記一対のエレメントにそれぞれ給電を行なう一対の線路を含む平衡給電路と、
前記平衡給電路の前記一対の線路にそれぞれ１つずつ挿入され、導電パターンにより形成された分布定数回路から構成される一対のスタブ付リングフィルタとを有することを特徴とするアンテナ装置。
【請求項１３】
前記スタブ付リングフィルタは、バンドエルミネート特性を有し、リング部とオープンスタブ部とを含み、前記リング部は、第１経路、第２経路、及び第３経路を含み、前記オープンスタブ部は、前記第２経路及び前記第３経路の接続部の平面視外側に配設されており、前記第２経路及び前記第３経路の全長は、互いに等しく、かつ、前記第１経路部の全長の半分である、請求項１２に記載のアンテナ装置。
【請求項１４】
前記誘電体基板は、可撓性を有する材料から構成されていることを特徴とする請求項１２記載のアンテナ装置。
【請求項１５】
狭帯域アンテナ装置、又は、広帯域アンテナ装置を構成することを特徴とする請求項１２記載のアンテナ装置。
【請求項１６】
誘電体基板と、
前記誘電体基板の一方の面に形成された複数のホームベース形状のアンテナエレメントパターンと、
前記誘電体基板の他方の面に形成された接地パターンと、
前記誘電体基板の一方の面に形成され、前記アンテナエレメントパターンに接続された給電線と、
前記誘電体基板の一方の面に形成され、前記複数のアンテナエレメントパターンと前記給電線とを接続する分配器と、
前記複数のアンテナエレメントパターンと前記分配器との間の前記給電線に挿入され、導電パターンにより形成された分布定数回路から構成されるスタブ付リングフィルタとを有することを特徴とするアンテナ装置。
【請求項１７】
前記スタブ付リングフィルタは、バンドエルミネート特性を有し、リング部とオープンスタブ部とを含み、前記リング部は、第１経路、第２経路、及び第３経路を含み、前記オープンスタブ部は、前記第２経路及び前記第３経路の接続部の平面視外側に配設されており、前記第２経路及び前記第３経路の全長は、互いに等しく、かつ、前記第１経路部の全長の半分である、請求項１６に記載のアンテナ装置。
【請求項１８】
前記分配器は、電力分配器から構成されていることを特徴とする請求項１６記載のアンテナ装置。
【請求項１９】
前記分配器は、ラットレース形ハイブリッド回路から構成されていることを特徴とする請求項１６記載のアンテナ装置。
【請求項２０】
前記分配器は、ブランチライン形ハイブリッド回路から構成されていることを特徴とする請求項１６記載のアンテナ装置。
【請求項２１】
前記複数のアンテナエレメントパターンは、互いに異なる方向に向けて配置されていることを特徴とする請求項１６記載のアンテナ装置。
【請求項２２】
上面、底面、及び複数の側面を含む多角柱状の誘電体部と、
前記誘電体部の各側面の前記上面側の部分に形成された複数のホームベース形状のアンテナエレメントパターンと、
前記誘電体部の内部のうち、前記アンテナエレメントパターンと側面視で重ならない前記底面側の部分に形成され、接地される多角柱状の金属部と、
前記誘電体部の各側面のうち、前記金属部と側面視で重なる部分に形成され、前記複数のアンテナエレメントパターンの各々に１本ずつ接続された複数の給電線と、
前記誘電体部の底面に形成され、前記複数の給電線に接続される分配器とを有することを特徴とするアンテナ装置。
【発明の詳細な説明】
【技術分野】
【０００１】
本発明はアンテナ装置に係り、特に、エレメントと、エレメントに給電を行なうストリップラインと、ストリップラインに対向する接地パターンとがプリント配線板上にパターンによって形成されたアンテナ装置に関する。
【背景技術】
【０００２】
近年、レーダー測位や大伝送容量の通信が可能であることからＵＷＢ（ultra-wide band）を利用した無線通信技術が注目されている。ＵＷＢは、２００２年に米国ＦＣＣ（federal communication commission）により周波数帯域が３．１〜１０．６ＧＨｚでの使用が認可された。
【０００３】
ＵＷＢは、パルス信号を超広帯域で通信を行う通信方式である。このため、ＵＷＢに用いられるアンテナには超広帯域で送受信が可能な構造が求められている。
【０００４】
少なくともＦＣＣで認可された３．１〜１０．６ＧＨｚの周波数帯域での使用を目的としたアンテナとして、地板と給電体から構成されたアンテナが提案されている（非特許文献１）。
【０００５】
図１は従来のＵＷＢ無線システムの一例のブロック構成図を示す。
【０００６】
従来の無線システム１は、アンテナ装置１１、フィルタ１２、送受信回路１３から構成されている。
【０００７】
図２は従来のアンテナ装置１１の構成図を示す。図２（Ａ）は上面図、図２（Ｂ）は底面図を示す。
【０００８】
アンテナ装置１１は、ＵＷＢ（ultra-wide-band）にて送受信を行なうためのアンテナ装置であり、プリント配線板２１の上面にエレメントパターン２２及びエレメントパターン２２に給電を行なうマイクロストリップライン２３が形成されている。また、プリント配線板２１の裏面にはマイクロストリップライン２３に対面する部分に接地パターン２４が形成されている。
【０００９】
アンテナ装置１１は、エレメントパターン２２の接地パターン２４に対向する辺の角度θに応じて所望の特性を得ている。
【非特許文献１】２００３年  電子情報通信学会  B-1-133  FCC認可UWB周波数帯の水平面内無指向性・低VSWRアンテナ、谷口琢也・小林岳彦（東京電機大）（３月22日発表  B201教室）
【発明の開示】
【発明が解決しようとする課題】
【００１０】
しかるに、この種のアンテナ装置は、パーソナルコンピュータや携帯通信機器などに搭載する要求があり、更なる小型化、薄型化が望まれていた。
【００１１】
本発明は上記の点に鑑みてなされたもので、小型、薄型で、多機能なアンテナ装置を提供することを目的とする。
【課題を解決するための手段】
【００１２】
本発明は、誘電体基板と、誘電体基板の一方の面に形成されたエレメントパターンと、誘電体基板の他方の面にエレメントパターンに並んで形成された接地パターンと、誘電体基板の一方の面に形成され、エレメントパターンに接続され、接地パターンに対面して形成されたストリップラインと、ストリップラインに接続されたフィルタとを有することを特徴とする。
【発明の効果】
【００１３】
本発明によれば、接地パターンを用いて、フィルタを搭載することにより、アンテナ装置に線路などの数を増やすことなく、フィルタの機能を搭載でき、これによって、送受信ユニット側にフィルタなどを設ける必要がなくなり、小型、薄型で、多機能なアンテナ装置を実現できる。
【発明を実施するための最良の形態】
【００１４】
〔第１実施例〕
図３は本発明の第１実施例のブロック構成図、図４は本発明の第１実施例の斜視図、図５は本発明の第１実施例の構成図を示す。図５（Ａ）は平面図、図５（Ｂ）は底面図、図５（Ｃ）は側面図を示す。
【００１５】
本実施例のアンテナ装置１００は、ＵＷＢの送受信が可能なアンテナ装置であり、誘電体基板１１１、エレメントパターン１１２、接地パターン１１３、ストリップライン１１４、フィルタ１１５、コネクタ１１６から構成されている。
【００１６】
誘電体基板１１１は、ガラスエポキシ樹脂、可撓性を有するＰＥＴ樹脂、カーボン、ＰＩ、ＬＰＣ（液晶ポリマ）などを四角形に成形したものである。エレメントパターン１１２は、銅、あるいは、アルミニウムなどの導電材により誘電体基板１１１の一方の面に形成された略五角形状のパターンである。
【００１７】
接地パターン１１３は、エレメントパターン１１２と同様の銅、あるいは、アルミニウムなどの導電材により誘電体基板１１１の他方の面にエレメントパターン１１２と矢印Ｘ１、Ｘ２方向に並んで形成されたパターンである。エレメントパターン１１２の頂点Ｐ０を挟む辺１１２ａ、１１２ｂは、接地パターン１１３の辺１１３ａに直交する軸に対して所定の角度θとなるように形成されている。角度θは、ＵＷＢの場合、例えば、６３°程度に設定される。
【００１８】
ストリップライン１１４は、誘電体基板１１１の一方の面に接地パターン１１３に対面した部位に形成されており、ライン１１４ａ及びライン１１４ｂから構成されている。ライン１１４ａは、一端がエレメントパターン１１２の頂点Ｐ０に接続され、エレメントパターン１１２の頂点Ｐ０から矢印Ｘ２方向に延出して形成されている。ライン１１４ａの他端は、フィルタ１１５の一端に接続されている。
【００１９】
また、ライン１１４ｂは、一端がフィルタ１１５の他端に接続され、他端がコネクタ１１６の信号線に接続されている。
【００２０】
フィルタ１１５は、例えば、スタブ付リングフィルタから構成されており、波長λの周波数ｆ0を中心周波数とし、中心周波数を対象に減衰極周波数が配置されたバンドエルミネート特性を得ている。フィルタ１１５は、ライン１１４ａの他端とライン１１４ｂの一端との間に、接地パターン１１３に対面したパターンとして形成されている。フィルタ１１５は、誘電体基板１１１を介して対面して配置されている接地パターン１１３とともに定数分布回路を形成しており、所望のフィルタ特性を得ている。
【００２１】
フィルタ１１５は、リング部１２１とオープンスタブ部１２２とから構成される。リング部１２１は、λ／２経路部１２１ａ、第１のλ／４経路部１２１ｂ、第２のλ／４経路部１２１ｃから構成される。なお、λは、中心周波数の波長である。
【００２２】
λ／２経路部１２１ａは、半円状に形成されており、一端がライン１１４ａの他端に接続され、他端がライン１１４ｂの一端に接続されている。λ／２経路部１２１ａは、全長がλ／２に設定されている。このとき、λは、バンドエルミネート特性の中心周波数に対応する波長である。また、λ／２経路部１２１ａのライン幅ｗ１は、第１のλ／４経路部１２１ｂ、及び、第２のλ／４経路部１２１ｃのライン幅ｗ２に比べて太く形成されている。
【００２３】
第１のλ／４経路部１２１ｂは、一端がライン１１４ａの他端に接続され、他端が第２のλ／４経路部１２１ｃの一端に接続される。第１のλ／４経路部１２１ｂは、全長がλ／４に設定されている。
【００２４】
第２のλ／４経路部１２１ｃは、一端が第１のλ／４経路部１２１ｂの他端に接続され、他端がライン１１４ｂの一端に接続されている。第１のλ／４経路部１２１ｂは、全長がλ／４に設定されている。
【００２５】
第１のλ／４経路部１２１ａと第２のλ／４経路部１２１ｂとは、λ／２経路部１２１ａと矢印Ｘ１、Ｘ２方向の軸ｘを中心として略対称となる半円状に形成されている。
【００２６】
オープンスタブ部１２２は、一端が第１のλ／４経路部１１ｂと第２のλ／４経路部１１ｃとの接続点から矢印Ｙ２方向にλ／４に渡って延出しており、他端は開放されている。
【００２７】
上記構成により、波長λの周波数ｆ0を中心周波数とし、中心周波数を対象に減衰極周波数が配置されたバンドエルミネート特性が得られる。
【００２８】
ライン１１４ｂの他端は、誘電体基板１１１の矢印Ｘ２方向側のエッジ部でコネクタ１１６に接続されている。
【００２９】
コネクタ１１６は、エッジ実装タイプのソケットコネクタであり、シールド部１１６ａ、及び、信号線コネクタ部１１６ｂ、並びに、絶縁部１１６ｃから構成されている。シールド部１１６ａは、取付部１１６ｄ及びコネクト部１１６ｅから構成されている。取付部１１６ｄ及びコネクト部１１６ｅは、一体に成形されている。
【００３０】
取付部１１６ｄは、誘電体基板１１１に直交するように配置され、接地パターン１１３に半田付けされる。取付部１１６ｄは、接地パターン１１３に半田付けされて、コネクタ１１６を誘電体基板１１１に固定する。コネクタ部１１６ｅは、取付部１１６ｄを矢印Ｘ１、Ｘ２方向に貫通した円筒形状をなし、取付部１１６ｄから矢印Ｘ２方向に延出しており、周囲にねじ山が形成されている。
【００３１】
コネクタ部１１６ｅには、プラグコネクタが螺入する。取付部１１６ｄの貫通孔には、信号線コネクト部１１６ｂが絶縁部１１６ｃを介して保持されている。プラグコネクタが取付部１１６ｄに係合したとき、信号線コネクト部１１６ｂにプラグコネクタ１０３の信号ピン１０３ｂが係合する。絶縁部１１６ｃは、樹脂、或いは、セラミックから構成されており、シールド部１１６ａと信号線コネクタ部１１６ｂとの間に介在され、信号線コネクト部１１６ｂを保持するとともに、シールド部１１６ａと信号線コネクト部１１６ｂとを絶縁する。
【００３２】
信号線コネクト部１１６ｂは、誘電体基板１１１の一方の面でライン１１４ｂの他端に半田付けされる。また、取付部１１６ｄは、誘電体基板１１１の他方の面で接地パターン１１３に半田付けされる。
【００３３】
プラグコネクタ１０３は、シールド部１０３ａ及び信号ピン１０３ｂから構成されており、同軸ケーブル１０１の一端に装着されている。シールド部１０３ａは、略円筒形状をなし、同軸ケーブル１０１のシールド１０１ａに接続されている。シールド部１０３ａの内周側には、ねじ溝が形成されている。ねじ溝は、ソケットコネクタ１１６のコネクタ部１１６ｅの外周に形成されたねじ山に螺合する。
【００３４】
信号ピン１０３ｂは、シールド部１０３ａに対して絶縁して配設されており、同軸ケーブル１０１の信号線１０１ｂに接続されている。信号ピン１０３ａは、プラグコネクタ１０３をソケットコネクタ１１６に装着した際に、ソケットコネクタ１１６の信号線コネクト部１１６ｂに挿入される。
【００３５】
これによって、同軸ケーブル１０１のシールド部１０１ａ及び信号線１０１ｂの他端は、送受信ユニット１０２に接続されている。送受信ユニット１０２は、プリント配線板１０２ａ上に各種電子部品１０２ｂを搭載した構成とされており、アンテナ装置１００を用いてＵＷＢによる通信を行うためのユニットである。
【００３６】
図６は本発明の第１実施例の動作説明図を示す。図６（Ａ）はエレメント１１２のＶＳＷＲ特性図、図６（Ｂ）はフィルタ１１５の周波数特性図、図６（Ｃ）はアンテナ装置１００のＶＳＷＲ特性図を示す。
【００３７】
本実施例のアンテナ装置１００のＶＳＷＲ特性は図６（Ａ）に示すエレメント１１２のＶＳＷＲ特性に、図６（Ｂ）に示すようなフィルタ１１５の周波数特性を加えた特性であり、これにより、図６（Ｃ）に示すようなＶＳＷＲ特性が得られる。
【００３８】
これによって、所望周波数をカット、例えば、ＵＷＢを用いた通信システムの場合には、既存の５．２ＧＨｚのＬＡＮ無線通信システムの周波数帯域をカットするようにフィルタ１１５の周波数特性を設定することにより、アンテナ装置１００で既存の無線通信システムの影響を排除できる。
【００３９】
〔効果〕
本実施例によれば、ＵＷＢ用の平面アンテナ装置において必要であった接地パターンに対面して定数分布回路によるフィルタを形成することにより、接地パターンをアンテナエレメント１１２とフィルタ１１５とで共用することができる。これによって、小型、薄型で、多機能なアンテナ装置を提供することが可能となる。
【００４０】
〔第２実施例〕
図７は本発明の第２実施例の斜視図、図８は本発明の第２実施例の構成図を示す。同図中、図３、図４と同一構成部分には同一符号を付し、その説明は省略する。
【００４１】
本実施例のアンテナ装置２００は、エレメント１１２とコネクタ１１６とを接続するストリップライン２１１にスタブ２１２を設けることにより、ストリップライン２１１及びスタブ２１２によりフィルタ２１３を構成している。
【００４２】
ストリップライン２１１は、ライン２１１ａ及びライン２１１ｂから構成され、矢印Ｘ２方向に配置されている。ライン２１１ａは、長さＬ１が「λ／４」とされ、一端がエレメント１１２の頂点Ｐ０に接続され、他端がライン２１１ｂの一端に接続されている。
ている。また、ライン２１１ｂは、長さＬ２が「λ／４」とされており、一端がライン２１１ｂの他端に接続され、他端がコネクタ１１６の信号線コネクト部１１６ｂに接続されている。
【００４３】
スタブ２１２は、ライン２１２ａ及びライン２１２ｂから構成されている。ライン２１２ａは、一端がストリップライン２１１のライン２１１ａとライン２１１ｂとの接続点に接続され、ストリップライン２１１に直交する方向である矢印Ｙ１方向に延出されている。ライン２１２ｂは、ライン２１２ａの他端に接続され、ストリップライン２１１に平行な方向で、エレメント１１２から離間する矢印Ｘ２方向に延出されている。ライン２１２ａの長さをＬ31、ライン２１２ｂの長さをＬ32とすると、スタブ２１２の全長（Ｌ31＋Ｌ32）が「λ／２」となるように、ライン２１２ａ及びライン２１２ｂの長さＬ31、及びＬ32は設定されている。
【００４４】
スタブ２１２を折曲させることにより、スタブ２１２の矢印Ｙ１方向への延出量を小さくできるため、誘電体基板１１１の矢印Ｙ１、Ｙ２方向の幅を小さく設定できる。
【００４５】
図９は本発明の第２実施例の特性図を示す。図９（Ａ）はエレメント１１２のＶＳＷＲ特性図、図９（Ｂ）はフィルタ２１３の周波数特性図、図９（Ｃ）はアンテナ装置２００のＶＳＷＲ特性図を示す。
【００４６】
本実施例のアンテナ装置２００のＶＳＷＲ特性は図９（Ａ）に示すエレメント１１２のＶＳＷＲ特性に、図９（Ｂ）に示すようなフィルタ２１３の周波数特性を加えた特性であり、これにより図９（Ｃ）に示すようなＶＳＷＲ特性が得られる。
【００４７】
これによって、所望周波数をカット、例えば、ＵＷＢを用いた通信システムの場合には、既存の４．２ＧＨｚのＬＡＮ無線通信システムの周波数帯域をカットするようにフィルタ１１５の周波数特性を設定することにより、アンテナ装置１００で既存の無線通信システムの影響を排除できる。
【００４８】
〔効果〕
本実施例によれば、第１実施例と同様にＵＷＢ用の平面アンテナ装置において必要であった接地パターンに対面して定数分布回路によるフィルタを形成することにより、接地パターンをアンテナエレメント１１２とフィルタ１１５とで共用することができる。これによって、小型で、高機能なアンテナ装置を提供することが可能となる。
【００４９】
〔第３実施例〕
図１０は本発明の第３実施例の斜視図、図１１は本発明の第３実施例の構成図を示す。同図中、図４、図５と同一構成部分には同一符号を付し、その説明は省略する。
【００５０】
本実施例のアンテナ装置３００は、フィルタ３１１の構成が第１、第２実施例とは異なる。本実施例のフィルタ３１１は、いわゆる、エッジカップルドフィルタにより構成されている。フィルタ３１１は、ストリップライン３１２、３１３、３１４、３１５から構成され、ストリップライン３１２とストリップライン３１３、ストリップライン３１３とストリップライン３１４、ストリップライン３１４とストリップライン３１５との結合の度合いを距離、重なりなどにより制御し、所望の周波数特性を得ている。
【００５１】
〔第４実施例〕
図１２は本発明の第４実施例の斜視図、図１３は本発明の第４実施例の構成図を示す。同図中、図４、図５と同一構成部分には同一符号を付し、その説明は省略する。
【００５２】
本実施例のアンテナ装置４００は、フィルタ４１１の構成が第１乃至第３実施例とは異なる。本実施例のフィルタ４１１は、いわゆる、ストリップライン１１４上にチップ部品４１２、４１３、４１４を搭載することにより構成されている。
【００５３】
チップ部品４１２は、一端がストリップライン１１４のライン１１４ａの他端に接続され、他端がチップ部品４１３、及びチップ部品４１４の一端に接続されている。チップ部品４１３は、他端がストリップライン１１４のライン１１４ｂの一端に接続されている。チップ部品４１４は、他端がスルーホール４１５を介して裏面に形成された接地パターン１１３に接続されている。
【００５４】
図１４はフィルタ４１１の等価回路図を示す。
【００５５】
ここで、例えば、チップ部品４１２、４１３をキャパシタＣ、チップ部品４１４をインダクタＬで構成することにより、ストリップライン１１４上に図１４（Ａ）に示すような等価回路が形成され、ハイパスフィルタの特性が得られる。また、チップ部品４１２、４１３をインダクタＬ、チップ部品４１４をキャパシタＣで構成することにより、ストリップライン１１４上に図１４（Ｂ）に示すような等価回路が形成され、ローパスフィルタの特性が得られる。
【００５６】
〔第５実施例〕
図１５は本発明の第５実施例の斜視図を示す。同図中、図４、図５と同一構成部分には同一符号を付し、その説明は省略する。
【００５７】
本実施例のアンテナ装置５００は、フィルタ５１１の構成が第１乃至第４実施例とは相違している。
【００５８】
図１６はフィルタ５１１の斜視図、図１７はフレキシブルプリント配線板５２１の斜視図を示す。
【００５９】
本実施例のフィルタ５１１は、フレキシブルプリント配線板５２１上に導電パターン５２２により、表面にショートスタブ５３１〜５３５、及び、第１のオープンスタブ付リングフィルタ５３６、並びに、第２のオープンスタブ付リングフィルタ５３７を形成するとともに、裏面全面に接地パターン５３８を形成し、図１６（Ａ）に示すように折曲あるいは図１６（Ｂ）に示すように巻回させ、樹脂５４１により封入し、ユニット化した構成とされている。
【００６０】
本実施例によれば、減衰極で急峻に減衰させることができるバンドパス特性を得ることができる。
【００６１】
〔第６実施例〕
図１８は本発明の第６実施例の斜視図、図１９は本発明の第６実施例の構成図を示す。同図中、図４、図５と同一構成部分には同一符号を付し、その説明は省略する。
【００６２】
本実施例のアンテナ装置６００は、ストリップライン１１４上にアッテネータ６１１を有する点で第１乃至第４実施例とは相違している。
【００６３】
本実施例のアッテネータ６１１は、フィルタ１１５とコネクタ１１６との間に設けられている。
【００６４】
図２０はアッテネータ６１１の等価回路図を示す。
【００６５】
アッテネータ６１１は、抵抗Ｒ１、Ｒ２、Ｒ３から構成されている。抵抗Ｒ１は、一端がフィルタ１１５に接続され、他端がスルーホール６１２を介して接地パターン１１３に接続されている。抵抗Ｒ２は、一端がフィルタ１１５に接続され、他端がコネクタ１１６の信号線コネクト部１１６ｂに接続されている。抵抗Ｒ３は、一端がコネクタ１１６の信号線コネクト部１１６ｂに接続され、他端がスルーホール６１３を介して接地パターン１１３に接続されている。抵抗Ｒ１、Ｒ２、Ｒ３は、送受信ユニット１０２に入力される信号が最適になるように予め設定される。
【００６６】
本実施例によれば、アッテネータ６１１をアンテナ装置６００側に搭載できるため、送受信ユニット１０２の構成を簡略化できる。なお、電波強度が弱い場合には、あってメータ６１１に代えてローノイズアンプ（ＬＮＡ）を搭載するようにしてもよい。
【００６７】
〔第７実施例〕
図２１は本発明の第７実施例の斜視図、図２２は本発明の第７実施例の構成図を示す。同図中、図４、図５と同一構成部分には同一符号を付し、その説明は省略する。
【００６８】
本実施例のアンテナ装置７００は、ソケットコネクタ７１１の構成が第１実施例とは相違しており、これに伴い、誘電体基板１１１の導電パターンも相違している。
【００６９】
図２３はソケットコネクタ７１１の構成図を示す。図２３（Ａ）は上面図、図２３（Ｂ）は側面図、図２３（Ｃ）は底面図を示す。
【００７０】
本実施例のソケットコネクタ７１１は、表面実装型コネクタから構成されており、シールド部７１１ａ、及び、信号線コネクト部７１１ｂを絶縁部７１１ｃにより一体的にモールド成形した構成とされている。
【００７１】
シールド部７１１ａは、導電材より構成され、コネクト部７１１ｄ及び接続部７１１ｅから構成されている。コネクト部７１１ｄは、略円筒状をなし、矢印Ｚ１方向に延出されており、プラグコネクタのシールドに係合する。接続部７１１ｅは、コネクト部７１１ｄに接続されており、絶縁部７１１ｃの底面、矢印Ｚ２方向の面に表出している。
【００７２】
信号線コネクト部７１１ｂは、導電材より構成され、接続ピン７１１ｆ及び接続部７１１ｇから構成されている。接続ピン７１１ｆは、絶縁部７１１ｃからコネクト部７１１ｄの内周側に矢印Ｚ２方向に延出しており、プラグコネクタを装着時にプラグコネクタの信号線に接続される。接続部７１１ｇは、接続ピン７１１ｆに接続されており、絶縁部７１１ｃの底面、矢印Ｚ２方向の面から表出している。
【００７３】
図２４は誘電体基板１１１の要部の構成図を示す。図２４（Ａ）は上面図、図２４（Ｂ）は側面図、図２４（Ｃ）は底面図を示す。
【００７４】
誘電体基板１１１の矢印Ｘ２方向の端部には、ソケットコネクタ７１１を実装するための接続パターン７２１が形成されている。接続パターン７２１は、信号線接続部７２１ａ、接地接続部７２１ｂ、スルーホール接続部７２１ｃから構成されている。信号線接続部７２１ａには、ソケットコネクタ７１１の接続部７１１ｇが対向して配置される。信号線接続部７２１ａとソケットコネクタ７１１の接続部７１１ｇとは半田付けされる。
【００７５】
接地接続部７２１ｂには、ソケットコネクタ７１１の接続部７１１ｅが対向して配置される。接地接続部７２１ｂとソケットコネクタ７１１の接続部７１１ｅとが半田付けされる。
【００７６】
また、接地接続部７２１ｂは、スルーホール接続部７２１ｃに接続されている。スルーホール接続部７２１ｃには、スルーホール７３１が形成されている。スルーホール７３１は、誘電体基板１１１を貫通してスルーホール接続部７２１ｃと接地パターン１１３とを接続する。
【００７７】
図２５はソケットコネクタ７１１を誘電体基板１１１に搭載した状態の構成図を示す。図２５（Ａ）は平面図、図２５（Ｂ）は側面図を示す。
【００７８】
接続部７１１ｇが信号線接続部７２１ａに対向し、接続部７１１ｅが接地接続部７２１ｂに対向するようにソケットコネクタ７１１を配置し、信号線接続部７２１ａに接続部７１１ｇを半田付けし、接地接続部７２１ｂに接続部７１１ｅを半田付けすることによりにすることにより、ソケットコネクタ７１１が誘電体基板１１１に実装される。
【００７９】
プラグコネクタは、同軸ケーブル１０１の延出方向に対して直行する方向にプラグが形成されている。
【００８０】
本実施例によれば、表面実装型コネクタを用いることにより、薄型化が可能となる。
【００８１】
〔第８実施例〕
図２５は本発明の第８実施例の斜視図、図２５は本発明の第８実施例の構成図を示す。同図中、図４、図５と同一構成部分には同一符号を付し、その説明は省略する。
【００８２】
本実施例のアンテナ装置８００は、誘電体基板１１１がフレキシブル基板から構成されており、ソケットコネクタ７１１を接続するための接続部８１１の構成が第７実施例とは相違している。
【００８３】
図２８、図２９は接続部８１１の構成図を示す。
【００８４】
接続部８１１は、折曲部８２１を有する。折曲部８２１は、誘電体基板１１１の矢印Ｘ２方向端部のライン１１４ｂの両側部に設けられており、誘電体基板１１１の矢印Ｘ２方向端部に矢印Ｘ１方向に切り込み８２２を入れ、矢印Ｚ１方向に折曲させることにより形成されている。これによって、折曲部８２１の矢印Ｚ１方向には、接地パターン１１３が表出する。
【００８５】
折曲部８２１にソケットコネクタ７１１のシールド部７１１ａを構成する接続部７１１ｅを半田付けすることにより、図２９に示すように表面実装型ソケットコネクタ７１１を誘電体基板１１１に表面実装できる。
【００８６】
本実施例によれば、誘電体基板１１１に切り込み７２２を入れて、折曲させるだけで、表面実装型ソケットコネクタ７１１を実装するための接続部を構成できるため、パターニングする必要がなく簡単な構成で表面実装型ソケットコネクタ７１１を実装可能となる。
【００８７】
〔第９実施例〕
図３０は本発明の第９実施例の斜視図、図３１は本発明の第９実施例の構成図を示す。同図中、図２１、図２２と同一構成部分には同一符号を付し、その説明は省略する。
【００８８】
本実施例のアンテナ装置９００は、同軸ケーブル１０１を接続パターン７２１に直接半田付けした構成とされている。
【００８９】
〔第１０実施例〕
図３２は本発明の第１０実施例の斜視図、図３３は本発明の第１０実施例の構成図を示す。同図中、図２５、図２５と同一構成部分には同一符号を付し、その説明は省略する。
【００９０】
本実施例のアンテナ装置１０００は、同軸ケーブル１０１のシールド１０１ａを折曲部８２１に直接半田付けし、信号線１０１ｂをライン１１４ｂに直接半田付けした構成とされている。
【００９１】
〔第１１実施例〕
図３４は本発明の第１１実施例の斜視図、図３５は本発明の第１１実施例の構成図を示す。
【００９２】
本実施例のアンテナ装置１１００は、誘電体基板１１１１、エレメント１１１２及び接地パターン１１１３、コネクタ７１１から構成されている。
【００９３】
誘電体基板１１１１は、ガラスエポキシ樹脂、可撓性を有するＰＥＴ樹脂などを四角形に成形したものである。エレメントパターン１１１２は、銅、あるいは、アルミニウムなどの導電材により誘電体基板１１１の一方の面に形成された略五角形状のパターンである。
【００９４】
接地パターン１１１３は、エレメントパターン１１１２と同様の銅、あるいは、アルミニウムなどの導電材により誘電体基板１１１１の一方の面にエレメントパターン１１１２に矢印Ｘ１、Ｘ２方向に並んで形成されたパターンである。エレメントパターン１１１２の頂点Ｐ０を挟む辺１１１２ａ、１１１２ｂは、接地パターン１１１３の辺１１１３ａに直交する軸に対して所定の角度θとなるように形成されている。角度θは、ＵＷＢの場合、例えば、６３°程度に設定される。
【００９５】
コネクタ７１１は、図２３に示すコネクタと同一であり、接続部７１１ｇがエレメントパターン１１１２の頂点Ｐ０に半田付けされ、接続部７１１ｅが接地パターン１１１３に接続されるようにエレメントパターン１１１２と接地パターン１１１３との間に配置され、半田付けされる。
【００９６】
〔第１２実施例〕
図３６は本発明の第１２実施例の斜視図、図３７は本発明の第１２実施例の構成図を示す。同図中、図３４、図３５と同一構成部分には同一符号を付し、その説明は省略する。
【００９７】
本実施例のアンテナ装置１２００は、誘電体基板１１１１、エレメント１１１２及び接地パターン１１１３、同軸ケーブル１０１から構成されている。
【００９８】
同軸ケーブル１０１は、信号線１０１ｂがエレメントパターン１１１２に直接半田付けされ、シールド１０１ａが接地パターン１１１３に直接半田付けされている。
【００９９】
〔第１３実施例〕
図３８は本発明の第１３実施例の斜視図を示す。
【０１００】
本実施例のアンテナ装置１３００は、平衡給電タイプのアンテナ装置であり、誘電体基板１３１１上にエレメント１３１２、１３１３、平衡給電路１３１４、１３１５、フィルタ１３１６、１３１７を搭載した構成とされている。
【０１０１】
誘電体基板１３１１は、ガラスエポキシ樹脂、可撓性を有するＰＥＴ樹脂などを四角形に成形したものである。エレメントパターン１３１２、１３１３は、銅、あるいは、アルミニウムなどの導電材により誘電体基板１３１１の一方の面に形成されたパターンであり、自己補対タイプの平衡給電アンテナエレメントを構成している。
【０１０２】
平衡給電路１３１４及び平衡給電路１３１５は、いわゆる、コプレーナストリップ線路を構成している。平衡給電路１３１４は、一端がエレメントパターン１３１２に接続されており、他端が接続部１３１８に接続されている。平衡給電路１３１５は、一端がエレメントパターン１３１３に接続されており、他端が接続部１３１９に接続されている。
【０１０３】
フィルタ１３１６は、例えば、平衡給電路１３１５の途中から外側、矢印Ｙ２方向に延出した後、矢印Ｘ２方向に折曲されたスタブから構成されている。スタブは、全長が例えば、略（λ／２）となるように設定されている。フィルタ１３１７は、例えば、平衡給電路１３１６の途中から外側、矢印Ｙ１方向に延出した後、矢印Ｘ２方向に折曲されたスタブから構成されている。スタブは、全長が略（λ／２）となるように設定されている。
【０１０４】
なお、フィルタ１３１６、１３１７は、スタブ付リングフィルタやチップ部品から構成するようにしてもよい。
【０１０５】
平衡給電路１３１４の他端には、接続パッド１３２１が形成されている。また、平衡給電路１３１５の他端には、接続パッド１３２２が形成されている。接続パッド１３２１、１３２２は、平衡給電ケーブル１３３０に接続される。
【０１０６】
平衡給電ケーブル１３３０は、可撓性を有する誘電体基板上に接続パッド１３３１、１３３２、平衡給電線路１３３３、１３３４、接続パッド１３３５、１３３６をアルミニウムや銅などの導電材によりパターニングして形成されている。接続パッド１３２１、１３２２は、平衡給電ケーブル１３３０の接続パッド１３３１、１３３２に、例えば、超音波により溶着したり、異方性導電テープを熱圧着したりして接続される。
【０１０７】
平衡給電ケーブル１３３０の接続パッド１３３１は、平衡給電線路１３３３の一端に接続されている。また、平衡給電ケーブル１３３０の接続パッド１３３２は、平衡給電路１３３４の一端に接続されている。平衡給電線路１３３３の他端は、接続パッド１３３５に接続され、平衡給電線路１３３４の他端は、接続パッド１３３６に接続される。
【０１０８】
接続パッド１３３５、１３３６は、送受信ユニット１３４０に接続される。送受信ユニット１３４０は、プリント配線板１３４１上に電子部品１３４２などを搭載した構成とされており、平衡給電ケーブル１３３０を接続するための接続パッド１３４３、１３４４が形成されている。
【０１０９】
平衡給電ケーブル１３３０の接続パッド１３３５、１３３６は、送受信ユニット１３４０の接続パッド１３４３、１３４４に例えば、超音波により溶着したり、異方性導電テープを熱圧着したりして接続される。
【０１１０】
以上により、アンテナ装置１３００と送受信ユニット１３４０とが平衡給電ケーブル１３３０を介して接続される。
【０１１１】
本実施例によれば、アンテナ装置１３００側にフィルタ１３１６、１３１７を搭載しているため、送受信ユニット１３４０側にフィルタを搭載する必要がなくなる。
【０１１２】
〔第１４実施例〕
図３９は本発明の第１４実施例の斜視図を示す。同図中、図３８と同一構成部分には同一符号を付し、その説明は省略する。
【０１１３】
本実施例のアンテナ装置１４００は、エレメントパターン１４１１、１４１２の形状が第１３実施例とは相違している。
【０１１４】
本実施例のエレメントパターン１４１１、１４１２は、いわゆる、ビバルディータイプのエレメントで構成したものである。これによって、第１３実施例に比べて指向性が向上する。
【０１１５】
〔第１５実施例〕
図４０は本発明の第１５実施例の斜視図を示す。同図中、図３８と同一構成部分には同一符号を付し、その説明は省略する。
【０１１６】
本実施例のアンテナ装置１５００は、アンテナ部１５１１と平衡給電ケーブル部１５１２とを１枚の誘電体基板１５１３で一体に形成した構成とされている。
【０１１７】
平衡給電ケーブル部１５１２には、平衡給電線路１３１４、１３１５が延在しており、平衡給電線路１３１４、１３１５の先端には、接続パッド１５２１、１５２２が形成されている。接続パッド１５２１、１５２２は、送受信ユニット１３４０に形成された接続パッド１３４３、１３４４に、例えば、超音波により溶着したり、異方性導電テープを熱圧着したりして接続される。
【０１１８】
本実施例によれば、アンテナ装置１５００に一体に形成された平衡給電ケーブル１５１２の接続パッド１５２１、１５２２と送受信ユニット１３４０の接続パッド１３４３、１３４４とを接続することにより、アンテナ装置１５００と送受信ユニット１３４０とを接続することができるため、接続が簡略化できる。
【０１１９】
図４１は狭帯域アンテナエレメントパターンの一例を示す図である。
【０１２０】
狭帯域アンテナエレメントパターン１６００は、導電線路１６１１を屈曲させた構成とされており、その長さＬ及びピッチｐなどによって送受信周波数特性を設定可能とされている。
〔第１６実施例〕
図４２は本発明の第１６実施例のブロック図、図４３は本発明の第１６実施例の斜視図を示す。
本実施例のアンテナ装置２０００は、誘電体基板２０１１上に複数のアンテナエレメント２０２１、接地パターン２０２２及び分配器２０２３並びにコネクタ２０２４を搭載した構成とされている。
誘電体基板２０１１は、ガラスエポキシ樹脂、可撓性を有するＰＥＴ樹脂、カーボン、ＰＩ、ＬＰＣ（液晶ポリマ）などの誘電体を板状に成形したものであり、一面にアンテナエレメントパターン２０２１が形成されるとともに、分配器２０２３及びコネクタ２０２４が搭載され、他面に接地パターン２０２２が形成されている。
アンテナエレメントパターン２０２１は、誘電体基板２０１１上に導電パターンをエッチングすることにより形成されている。アンテナエレメントパターン２０２１は、略ホームベースの五角形状をなし、接地パターン２０２２と協働してＵＷＢ通信が可能な形状とされている。アンテナエレメントパターン２０２１の頂点は、分配器２０２３に接続されている。
分配器２０２３は、チップ抵抗２０３１から構成されている。チップ抵抗２０３１は、複数のアンテナエレメントパターン２０２１とコネクタ２０２４との接続点と複数のアンテナエレメントパターン２０２１及びコネクタ２０２４の間に設けられており、各経路のインピーダンスが所望のインピーダンス、例えば、５０Ωとなるように形成されている。
なお、分配器２０２３は、抵抗によるパワーデバイダに限定されるものではなく、ラットレース形ハイブリッド回路、ブランチライン型ハイブリッド回路、１／４波長分布結合型ハイブリッド回路、位相反転形ハイブリッドリングなどの他の結合器、Ｙ形電力分配器などであってもよい。
図４４は分配器２０２３の変形例の構成図を示す。図４４（Ａ）はラットレース形ハイブリッド回路を用いた分配器、図４４（Ｂ）はブランチライン形ハイブリッド回路を用いた分配器の構成を示している。
ラットレース形ハイブリッド回路を用いた分配器２０３１は、入出力ポートＰ１にターミネータが接続され、入出力ポートＰ２に第１のアンテナエレメントパターン２０２１が接続され、入出力ポートＰ３にコネクタ２０２４が接続され、入出力ポートＰ４に第２のアンテナエレメントパターン２０２１が接続されている。
このとき、本実施例では、第１のアンテナエレメントパターン２０２１が接続される入出力ポートＰ２と第２のアンテナエレメントパターン２０２１が接続される入出力ポートＰ４とは、コネクタ２０２４が接続される入出力ポートＰ３に対して等距離に位置するための、第１のアンテナエレメントパターン２０２１の送受信信号と第２のアンテナエレメントパターン２０２１の送受信信号とは同位相とすることができる。
ブランチライン形ハイブリッド回路を用いた分配器２０３２は、入出力ポートＰ11にターミネータが接続され、入出力ポートＰ12に第１のアンテナエレメントパターン２０２１が接続され、入出力ポートＰ13に第２のアンテナエレメントパターン２０２１が接続され、入出力ポートＰ14にコネクタ２０２４が接続されている。
このとき、本実施例では、第１のアンテナエレメントパターン２０２１が接続される入出力ポートＰ12と第２のアンテナエレメントパターン２０２１が接続される入出力ポートＰ13とは、コネクタ２０２４が接続される入出力ポートＰ14に対してλ／４の距離に位置するための、第１のアンテナエレメントパターン２０２１の送受信信号と第２のアンテナエレメントパターン２０２１の送受信信号とは位相が９０度変移する。
接地パターン２０２２は、誘電体基板２０１１のアンテナエレメントパターン２０２１が形成される面とは反対の面に導電パターンをエッチングすることにより形成されている。接地パターン２０２２は、複数のアンテナエレメントパターン２０２１の五角形状の部分を除く、五角形状の頂点より分配器２０２３及びコネクタ１０２４の側の部分に形成されている。
コネクタ２０２４は、同軸ケーブルへの接続を行うコネクタであり、信号線接続部２０４１と接地線接続部２０４２とから構成されている。コネクタ２０２４の信号線接続部２０４１は、導電パターン２０５１を介して分配器２０２３に接続されている。コネクタ２０２４の接地線接続部２０４２は、接地パターン２０２２に接続されている。
なお、本実施例では、分配器２０２３により２つのアンテナエレメントパターン２０２１を接続するようにしたが、分配器２０２３を複数段接続することにより３以上のアンテナエレメントパターン２０２１を接続することも可能である。
〔第１変形例〕
図４５は本発明の第１６実施例の第１変形例のブロック図、図４６は本発明の第１６実施例の第１変形例の斜視図を示す。同図中、図４２、図４３と同一構成部分には同一符号を付し、その説明は省略する。
本変形例のアンテナ装置２１００は、複数のアンテナエレメントパターン２０２１と分配器２０２３との間にフィルタ回路２１１０を有する構成とされている。
フィルタ回路２１１０は、例えば、図３、図４に示すようなスタブ付リングフィルタ、あるいは、チップキャパシタ、チップインダクタ、チップ抵抗を用いたフィルタ回路から構成されている。
なお、フィルタ回路２１１０の周波数特性は、送受信周波数に応じて設定されており、複数のアンテナエレメントパターン２０２１毎に異なる周波数特性、あるは、同一周波数となるように設定される。
また、複数のアンテナエレメントパターン２０２１毎にアッテネータを設けるようにしてもよい。
〔第２変形例〕
図４７は、本発明の第１６実施例の第２変形例の構成図を示す。同図中、図４２、図４３と同一構成部分には同一符号を付し、その説明は省略する。
本変形例の複数のアンテナエレメントパターン２０２１は、その延在する方向が互いに異なる方向となるように形成されている。例えば、図４７では、第１のアンテナエレメントパターン２０２１と第２のアンテナエレメントパターン２０２１とが互いに９０度の角度となるように形成されている。
図４８は、本発明の第１６実施例の第２変形例の動作説明図を示す。
図４８に示すように複数のアンテナエレメントパターン２０２１は、各正面方向矢印Ａ１、Ａ２方向に電力の分布のＮＵＬＬ点を有するため、その延在する方向が互いに異なる方向となるように形成することにより、図４７に示すように正面方向、矢印Ｂ方向の電力の分布のNULL点を相殺できることができる。よって、アンテナ正面が明確になるので、アンテナの設置が容易となる
〔第３変形例〕
図４９は、本発明の第１６実施例の第３変形例の斜視図を示す。同図中、図４２、図４３と同一構成部分には同一符号を付し、その説明は省略する。
本変形例のアンテナ装置２２００は、誘電体基板２２１１を複数の誘電体層２２１２を積層した積層構造とし、中間層に接地パターン２２１３を形成し、その上下層にアンテナエレメントパターン２０２１を形成した構成とされている。
本実施例によれば、複数のアンテナエレメントパターン２０２１を積層して配置できるため、誘電体基板２２１１を小型化することができ、よって、アンテナ装置２２００を小型化できる。
なお、複数のアンテナエレメントパターン２０２１は、図４７に示すようにその延在する方向が互いに異なる方向となるように形成するようにしてもよい。
〔その他〕
なお、上記第１〜第１５実施例では、アンテナエレメントパターンとしてＵＷＢなど超広帯域平面アンテナエレメントを例に説明を行なっているが、アンテナエレメントパターンは、狭帯域、あるいは、広帯域用平面アンテナエレメントで構成するようにしてもよい。
さらに、アンテナエレメントパターンへの給電線は、誘電体基板表面に形成されたストリップラインで構成しているが、ストリップラインを接地パターンで囲むようにしてもよい。
図５０はストリップラインの変形例の構成図を示す。
図５０に示すように誘電体基板２２００を複数の誘電体層２２１１を積層した構造とし、その中間層にストリップライン２２１２を形成し、上下の誘電体層、及び、左右に接地パターン２２１３を形成して、ストリップライン２２１２を接地パターン２２１３で囲む構成としてもよい。
〔第１７実施例〕
また、誘電体からなる多面体の表面にアンテナエレメントパターンを形成するようにしてもよい。
図５１は本発明の第１７実施例の斜視図を示す。
本実施例のアンテナ装置３０００は、金属部３０１２、誘電体部３０１１、複数のアンテナエレメントパターン３０１３、分配器３０１４から構成されている。金属部３０１２は、金属材を四角柱状に成形した構成とされており、接地される。誘電体部３０１１は、一端が金属部３０１２の周囲を囲み、他端が金属部３０１２の先端から延長された形状の四角柱状に成形された焼成された構成とされている。
アンテナエレメントパターン３０１３は、誘電体部３０１１の四側面の金属部３０１２より延長された部分に形成されている。アンテナエレメントパターン３０１３は、前述のアンテナエレメントパターン２０２１などと同じ形状とされている。
分配器３０１４は、誘電体部３０１１の底面に搭載されたチップ抵抗３０２１などにより構成されており、複数のアンテナエレメントパターン３０１３と信号端子３０３１との間に設けられ、信号端子３０３１の信号を複数のアンテナエレメントパターン３０１３に分配する。なお、分配器３０１４は、図４４（Ａ）に示すラットレース形ハイブリッド回路を用いた分配器、図４４（Ｂ）に示すブランチライン形ハイブリッド回路を用いた分配器であってもよい。
なお、金属部３０１２は、接地端子３０３２に接続されている。接地端子３０３２は、誘電体部３０１１の底面から外部に延出しており、接地される。
なお、本実施例では、四角柱状を例に説明を行ったが、Ｎ角柱（Ｎは３以上の整数）形状としてもよい。また、形状も角柱に限定されるものではなく、多角錐体、多面体などであってもよい。
複数のアンテナエレメントパターン３０１３を傾けて配置するようにしてもよい。これによって、電力の分布のNULL点をなくすことができる。
【図面の簡単な説明】
【０１２１】
【図１】従来のＵＷＢ無線システムの一例のブロック構成図である。
【図２】従来のアンテナ装置１１の構成図である。
【図３】本発明の第１実施例のブロック構成図である。
【図４】本発明の第１実施例の斜視図である。
【図５】本発明の第１実施例の構成図である。
【図６】本発明の第１実施例の動作説明図である。
【図７】本発明の第２実施例の斜視図である。
【図８】本発明の第２実施例の構成図である。
【図９】本発明の第２実施例の特性図である。
【図１０】本発明の第３実施例の斜視図である。
【図１１】本発明の第３実施例の構成図である。
【図１２】本発明の第４実施例の斜視図である。
【図１３】本発明の第４実施例の構成図である。
【図１４】フィルタ４１１の等価回路図である。
【図１５】本発明の第５実施例の斜視図である。
【図１６】フィルタ５１１の斜視図である。
【図１７】フレキシブルプリント配線板５２１の斜視図である。
【図１８】本発明の第６実施例の斜視図である。
【図１９】本発明の第６実施例の構成図である。
【図２０】アッテネータ６１１の等価回路図である。
【図２１】本発明の第７実施例の斜視図である。
【図２２】本発明の第７実施例の構成図である。
【図２３】ソケットコネクタ７１１の構成図である。
【図２４】誘電体基板１１１の要部の構成図である。
【図２５】ソケットコネクタ７１１を誘電体基板１１１に搭載した状態の構成図である。
【図２６】本発明の第８実施例の斜視図である。
【図２７】本発明の第８実施例の構成図である。
【図２８】接続部８１１の構成図である。
【図２９】接続部８１１の構成図である。
【図３０】本発明の第９実施例の斜視図である。
【図３１】本発明の第９実施例の構成図である。
【図３２】本発明の第１０実施例の斜視図である。
【図３３】本発明の第１０実施例の構成図である。
【図３４】本発明の第１１実施例の斜視図である。
【図３５】本発明の第１１実施例の構成図である。
【図３６】本発明の第１２実施例の斜視図である。
【図３７】本発明の第１２実施例の構成図である。
【図３８】本発明の第１３実施例の斜視図である。
【図３９】本発明の第１４実施例の斜視図である。
【図４０】本発明の第１５実施例の斜視図である。
【図４１】狭帯域アンテナエレメントパターンの一例を示す図である。
【図４２】本発明の第１６実施例のブロック図である。
【図４３】本発明の第１６実施例の斜視図である。
【図４４】分配器２０２３の変形例の構成図である。
【図４５】本発明の第１６実施例の第１変形例の動作説明図である。
【図４６】本発明の第１６実施例の第１変形例の斜視図である。
【図４７】本発明の第１６実施例の第２変形例の構成図である。
【図４８】本発明の第１６実施例の第２変形例の動作説明図である。
【図４９】本発明の第１６実施例の第３変形例の斜視図である。
【図５０】ストリップラインの変形例の構成図である。
【図５１】本発明の第１７実施例の斜視図である。
【符号の説明】
【０１２２】
１００、２００、３００、４００、５００、６００、７００、８００、９００、１０００
１１００、１２００、１３００、１４００、１５００  アンテナ装置
１０１  同軸ケーブル、１０２  送受信ユニット
１１１、２０１１  誘電体基板、１１２、２０２１  エレメントパターン
１１３、２０２２  接地パターン
１１４  ストリップライン、１１５  フィルタ、１１６  コネクタ
１２１  スタブ付リングフィルタ
２０００、２１００  アンテナ装置
２０２３  分配器、２０２４  コネクタ
【図１】
0004664213.tif 000002
【図２】
0004664213.tif 000003
【図３】
0004664213.tif 000004
【図４】
0004664213.tif 000005
【図５】
0004664213.tif 000006
【図６】
0004664213.tif 000007
【図７】
0004664213.tif 000008
【図８】
0004664213.tif 000009
【図９】
0004664213.tif 000010
【図１０】
0004664213.tif 000011
【図１１】
0004664213.tif 000012
【図１２】
0004664213.tif 000013
【図１３】
0004664213.tif 000014
【図１４】
0004664213.tif 000015
【図１５】
0004664213.tif 000016
【図１６】
0004664213.tif 000017
【図１７】
0004664213.tif 000018
【図１８】
0004664213.tif 000019
【図１９】
0004664213.tif 000020
【図２０】
0004664213.tif 000021
【図２１】
0004664213.tif 000022
【図２２】
0004664213.tif 000023
【図２３】
0004664213.tif 000024
【図２４】
0004664213.tif 000025
【図２５】
0004664213.tif 000026
【図２６】
0004664213.tif 000027
【図２７】
0004664213.tif 000028
【図２８】
0004664213.tif 000029
【図２９】
0004664213.tif 000030
【図３０】
0004664213.tif 000031
【図３１】
0004664213.tif 000032
【図３２】
0004664213.tif 000033
【図３３】
0004664213.tif 000034
【図３４】
0004664213.tif 000035
【図３５】
0004664213.tif 000036
【図３６】
0004664213.tif 000037
【図３７】
0004664213.tif 000038
【図３８】
0004664213.tif 000039
【図３９】
0004664213.tif 000040
【図４０】
0004664213.tif 000041
【図４１】
0004664213.tif 000042
【図４２】
0004664213.tif 000043
【図４３】
0004664213.tif 000044
【図４４】
0004664213.tif 000045
【図４５】
0004664213.tif 000046
【図４６】
0004664213.tif 000047
【図４７】
0004664213.tif 000048
【図４８】
0004664213.tif 000049
【図４９】
0004664213.tif 000050
【図５０】
0004664213.tif 000051
【図５１】
0004664213.tif 000052